(57)【要約】【課題】高さ調節可能としつつ締結部材の締め付けの緩みを抑制できる枠材固定具を提供する。【解決手段】断面形状が波形状の折板屋根１１の複数の長尺な頂部２４に固定される固定部４０と、バルコニー１２の床部１３の外縁を形成する枠材（１７）に設けられた締結部材２１を支持する支持部３０と、を備える枠材固定具１０である。支持部３０は、水平方向に締結部材２１を挿入可能な複数の水平溝３５を有し、複数の水平溝３５は、鉛直方向の位置が互いに異なるものとされている。【選択図】図１
2019056270.tif 000002
【特許請求の範囲】
【請求項１】
断面形状が波形状の折板屋根の複数の長尺な頂部に固定される固定部と、
バルコニーの床部の外縁を形成する枠材に設けられた締結部材を支持する支持部と、を備え、
前記支持部は、水平方向に前記締結部材を挿入可能な複数の水平溝を有し、
複数の前記水平溝は、鉛直方向の位置が互いに異なるものとされていることを特徴とする枠材固定具。
【請求項２】
前記固定部は、複数の前記頂部に跨って固定されていることを特徴とする請求項１に記載の枠材固定具。
【請求項３】
前記支持部は、複数の前記水平溝を連結する鉛直溝を有することを特徴とする請求項１または請求項２に記載の枠材固定具。
【請求項４】
複数の前記水平溝は、鉛直方向の位置を変化させながら前記鉛直溝に対して左右交互に位置されていることを特徴とする請求項３に記載の枠材固定具。
【請求項５】
複数の前記水平溝は、前記締結部材を水平方向に移動可能に受け入れることを特徴とする請求項１から請求項４までのいずれか１項に記載の枠材固定具。
【請求項６】
請求項１から請求項５までのいずれか１項に記載の枠材固定具を用いて設けられていることを特徴とするバルコニー。
【請求項７】
請求項１から請求項５までのいずれか１項に記載の枠材固定具を用いて前記バルコニーが取り付けられていることを特徴とする建物。
【発明の詳細な説明】
【技術分野】
【０００１】
本開示は、折板屋根にバルコニーの床部の外縁を形成する枠材を固定する枠材固定具、その枠材固定具を用いて設けたバルコニー、その枠材固定具を用いてバルコニーが取り付けられた建物に関する。
【背景技術】
【０００２】
従来、折板屋根にバルコニーの床部の外縁を形成する枠材を固定金具により固定することが考えられている（特許文献１参照）。その固定金具は、Ｌ字形状の型鋼で形成されて枠材に取り付けられる取付け部材と、その下方に設けられて折板屋根の頂部に嵌合される嵌合部材と、を有し、枠材を折板屋根に固定することができる。また、固定金具では、取付け部材に設けるボルト孔を縦長の長孔とすることで、枠材の取り付け高さの調整を可能としている。
【先行技術文献】
【特許文献】
【０００３】
【特許文献１】特開平１１−１９０１０９号公報
【発明の概要】
【発明が解決しようとする課題】
【０００４】
しかしながら、固定金具は、取付け部材の縦長の長孔としたボルト孔に通したボルトを締め付けることで、調整した高さで枠材を固定することとなる。このため、固定金具は、ボルトの締め付けによる圧力に応じた摩擦力で枠材の荷重を支える。すると、固定金具では、枠材の荷重を支え続けることや、歩行等に起因する衝撃が枠材に生じることにより、ボルトの締め付けが緩む虞がある。
【０００５】
本開示は、上記の事情に鑑みて為されたもので、高さ調節可能としつつ締結部材の締め付けの緩みを抑制できる枠材固定具を提供することを目的とする。
【課題を解決するための手段】
【０００６】
上記した目的を達成するために、本開示の枠材固定具は、断面形状が波形状の折板屋根の複数の長尺な頂部に固定される固定部と、バルコニーの床部の外縁を形成する枠材に設けられた締結部材を支持する支持部と、を備え、前記支持部は、水平方向に前記締結部材を挿入可能な複数の水平溝を有し、複数の前記水平溝は、鉛直方向の位置が互いに異なるものとされていることを特徴とする。
【０００７】
ここで、前記固定部は、複数の前記頂部に跨って固定されている構成とすることができる。また、前記支持部は、複数の前記水平溝を連結する鉛直溝を有する構成とすることができる。
【０００８】
複数の前記水平溝は、鉛直方向の位置を変化させながら前記鉛直溝に対して左右交互に位置されている構成とすることができる。複数の前記水平溝は、前記締結部材を水平方向に移動可能に受け入れる構成としてもよい。上記した枠材固定具を用いて設けられているバルコニーとすることができる。上記した枠材固定具を用いて前記バルコニーが取り付けられている建物とすることができる。
【発明の効果】
【０００９】
このように構成された本開示の枠材固定具は、高さ調節可能としつつボルトの締め付けの緩みを抑制できる。
【００１０】
ここで、前記固定部は、複数の前記頂部に跨って固定されている構成であれば、支持部で受けた荷重を複数の頂部に分散することができ、より適切に枠材を支持することができる。また、前記支持部は、複数の前記水平溝を連結する鉛直溝を有する構成であれば、締結部材を鉛直溝から挿入することでいずれかの水平溝へと挿入することができ、各水平溝に導くことを容易なものとすることができ、枠材の高さ位置の調整を容易なものにできる。複数の前記水平溝は、鉛直方向の位置を変化させながら前記鉛直溝に対して左右交互に位置されている構成であれば、各水平溝による締結部材すなわち枠材の支持強度を確保しつつ、水平溝の本数すなわち調節可能な高さ位置の数を増やすことができ、より適切に枠材の高さ位置を調整することができる。
【００１１】
複数の前記水平溝は、前記締結部材を水平方向に移動可能に受け入れる構成であれば、締結部材を支持する位置の自由度を向上させることができ、より適切に枠材を支持することができる。上記した枠材固定具を用いて設けられていることを特徴とするバルコニーであれば、簡易にかつ適切に折板屋根に設けられる。上記した枠材固定具を用いて前記バルコニーが取り付けられている建物であれば、簡易にかつ適切にバルコニーが折板屋根に設けられる。
【図面の簡単な説明】
【００１２】
【図１】本開示に係る枠材固定具の一実施形態に係る一例としての枠材固定具を用いてバルコニーが取り付けられた建物を模式的に示す断面図である。
【図２】枠材固定具を示す説明図である。
【図３】枠材固定具を折板屋根に設けた様子を示す模式的な斜視図である。
【図４】図１で左側に示す縁フレームを固定した枠材固定具を示す説明図である。
【図５】図１で右側に示す縁フレームを固定した枠材固定具を示す説明図である。
【発明を実施するための形態】
【００１３】
以下に、本開示に係る枠材固定具の一例としての実施例１の枠材固定具１０、その枠材固定具１０を用いて設けたバルコニー１２、およびその枠材固定具１０を用いてバルコニー１２が取り付けられた建物１について図面を参照しつつ説明する。
【実施例１】
【００１４】
本開示に係る枠材固定具の一実施形態に係る実施例１の枠材固定具１０を、図１から図５を用いて説明する。枠材固定具１０は、建物１に設けられた折板屋根１１にバルコニー１２を取り付けるために用いるものである。
【００１５】
バルコニー１２は、折板屋根１１の上方で水平に拡がる床部１３（デッキ）と、床部１３の側縁に沿って設けられた手摺部材１４と、を有する。床部１３では、折板屋根１１の後述する各頂部２４を跨る水平材としての床フレーム１５が、床板材１６を支持している。床フレーム１５は、床部１３の外縁を形成する枠材としての縁フレーム１７（図１では両端の対向する２つの縁フレーム１７のみ図示）と、対向する２つの縁フレーム１７と並列された複数の根太１８（図１では２つ）と、を有する。図１では、各根太１８は、支持材１８ａにより適宜高さ調節されて各頂部２４に支持されている。
【００１６】
各縁フレーム１７は、長尺方向に直交する断面形状が略矩形状とされた鋼製の長尺筒部材であり、外側面１７ａに支持溝１９が設けられている。支持溝１９は、縁フレーム１７の長尺方向に沿って伸びており、締結部材２１を支持することが可能とされている。締結部材２１は、支持溝１９に頭部２２ａを嵌め入れ可能とされたボルト２２と、ボルト２２に嵌められるナット２３と、を有する。ボルト２２は、支持溝１９における任意の位置に頭部２２ａを嵌め入れることが可能とされており、頭部２２ａを嵌め入れることで回転が防止された状態で支持溝１９に支持される。これにより、締結部材２１は、縁フレーム１７に設けられる。
【００１７】
折板屋根１１は、所定のピッチで複数の頂部２４が並列されて設けられた平板状の屋根である（図５等参照）。折板屋根１１は、例えば、ポリ塩化ビニル被覆鋼板が、断面が波形状となるように折り曲げられて形成され、その折り曲げられた山形が頂部２４になる。折板屋根１１の下側には、それを支持する屋根フレームや天井が設けられている。頂部２４では、実施例１では、上端近傍と比較してその下方の幅寸法（頂部２４が伸びる方向と直交する幅方向の寸法）が部分的に小さくされた括れ２５が設けられている。
【００１８】
実施例１の枠材固定具１０は、床フレーム１５の枠材としての縁フレーム１７を折板屋根１１の頂部２４に固定することで、折板屋根１１にバルコニー１２を取り付ける。枠材固定具１０は、図２、図３に示すように、締結部材２１を支持する支持部３０と、その支持部３０を折板屋根１１に固定する固定部４０と、を備える。
【００１９】
支持部３０は、板状の金属材料がＬ字形状に折り曲げられて構成されて締結部材２１を支持する支持箇所３１と、支持箇所３１の下端から直交する方向に伸びる固定箇所３２と、を有する。支持箇所３１は、鉛直面に沿う板状を呈し、中央に支持溝部３３が形成されている。支持溝部３３は、支持箇所３１を貫通して形成され、締結部材２１のボルト２２において頭部２２ａから伸びる軸部２２ｂの挿入を許しつつ頭部２２ａの挿入を阻む幅寸法とされている。支持溝部３３は、上端縁から鉛直方向の下方に伸びる鉛直溝３４と、鉛直溝３４から左右に伸びる複数の水平溝３５と、を有する。
【００２０】
鉛直溝３４は、支持箇所３１の長尺方向の中心で鉛直方向に伸びて形成されており、挿入されたボルト２２の軸部２２ｂを鉛直方向に案内することができる。鉛直溝３４は、実施例１では、支持箇所３１の鉛直方向の寸法の約３分の２（２／３）の長さ寸法とされている。
【００２１】
各水平溝３５は、鉛直溝３４と連続しつつ鉛直溝３４と直交する水平方向に伸びて形成されており、ボルト２２の軸部２２ｂを水平方向に移動可能に受け入れることができる。各水平溝３５は、鉛直方向の位置（以下では高さ位置ともいう）が互いに異なるものとされている。各水平溝３５は、互いに異なる高さ位置で、挿入されたボルト２２の軸部２２ｂを水平方向に案内することができる。水平溝３５は、実施例１では、５つ設けられており、個別に述べる際には上から順に第ｎ水平溝３５ｎ（ｎは１から５の自然数）ともいう。第１水平溝３５１は、鉛直溝３４の上端近傍から右側へと伸びて形成され、第２水平溝３５２は、第１水平溝３５１よりも鉛直方向下方（以下では低い位置ともいう）で鉛直溝３４から左側へと伸びて形成されている。また、第３水平溝３５３は、第２水平溝３５２よりも低い位置で鉛直溝３４から右側へと伸びて形成され、第４水平溝３５４は、第３水平溝３５３よりも低い位置で鉛直溝３４から左側へと伸びて形成され、第５水平溝３５５は、第４水平溝３５４よりも低い位置で鉛直溝３４から右側へと伸びて形成されている。
【００２２】
このように、各水平溝３５は、鉛直方向の位置を変化させながら鉛直溝３４に対して左右交互に位置されている。各水平溝３５は、設けられた位置の鉛直方向の間隔が一定とされている。実施例１の支持溝部３３では、各水平溝３５の鉛直方向の寸法と、右側で並列された３つの水平溝（３５１、３５３、３５５）の間の鉛直方向の寸法と、左側で並列された２つの水平溝（３５２、３５４）の間の鉛直方向の寸法と、が等しくされている。なお、各水平溝３５の高さ位置および間隔は、支持箇所３１の強度とボルト２２を介して設定される床部１３に求められる高さ調整の程度とを勘案して適宜設定すればよい。支持溝部３３では、ボルト２２の軸部２２ｂを各水平溝３５のいずれかで受け入れることで、その軸部２２ｂの高さ位置を段階的に変化させることができる。
【００２３】
固定箇所３２は、支持部３０において固定部４０が設けられる箇所であり、水平面に沿う板状を呈し、両側に鉛直方向下方に伸びる連結片３６を有する。各連結片３６には、後述する締結部４４のボルト５５を通すボルト穴３７（図２参照）が設けられている。ボルト穴３７は、実施例１では、前後方向（図２を正面視して紙面に直交する方向）で対を為して設けられている（図３参照）。各連結片３６には、固定部４０を構成する把持箇所４１が設けられている。両把持箇所４１は、左右で対称な位置関係とされていることを除くと同様の構成であるので、以下では右側の把持箇所４１を用いて説明する。
【００２４】
把持箇所４１は、折板屋根１１の頂部２４を内側から押さえる内側金具４２と、折板屋根１１の頂部２４を外側から押さえる外側金具４３と、内側金具４２および外側金具４３を連結片３６に取り付ける締結部４４と、を備える。内側金具４２は、図２に示すように、板状の金属材料が折り曲げられて形成され、頂部２４の内側に宛がわれる内側片４５と、頂部２４の上面に載せられる上面片４６と、連結片３６の内側に隣接される連結片４７と、を有する。内側片４５は、括れ２５に嵌るように頂部２４の内側面の形状に倣って屈曲されている。上面片４６は、内側片４５の上端から水平方向外側に伸びる平板とされており、下面に緩衝部材４８が設けられている。緩衝部材４８は、折板屋根１１の頂部２４に傷がつくのを抑制するために設けられ、実施例１ではシート状のテープ材が用いられて下面に貼り付けられている。連結片４７は、上面片４６の外端から鉛直方向下方に伸びる平板とされ、締結部４４の後述するボルト５５を通すボルト穴４９が設けられている。ボルト穴４９は、実施例１では、前後方向で対を為して設けられている（図３参照）。
【００２５】
外側金具４３は、板状の金属材料が折り曲げられて形成され、頂部２４の外側に宛がわれる外側片５１と、連結片３６の外側に隣接される連結片５２と、外側片５１の下端と連結片５２の下端とを繋ぐ接続片５３と、を有する。外側片５１は、括れ２５に嵌るように頂部２４の外側面の形状に倣って屈曲されている。連結片５２は、接続片５３の外端から鉛直方向上方に伸びる平板とされ、締結部４４の後述するボルト５５を通すボルト穴５４が設けられている。ボルト穴５４は、実施例１では、前後方向で対を為して設けられている（図３参照）。
【００２６】
締結部４４は、外側金具４３の連結片５２と連結片３６と内側金具４２の連結片４７とを連結させるボルト５５と、そのボルト５５が嵌められるナット５６と、を有する。ナット５６は、内側金具４２の連結片４７の内側面４７ａにボルト穴４９と同心位置とされて固定されており、実施例１では溶接により固定されている。ボルト５５は、外側金具４３の連結片５２のボルト穴５４、連結片３６のボルト穴３７、内側金具４２の連結片４７のボルト穴４９の順に挿通されて、ナット５６に嵌められる。ボルト５５の先端は、外側金具４３の外側片５１の裏側に対向されている。ボルト５５は、緩めると右側へと移動するものとされており、外側金具４３の外側片５１を右側すなわち外側へと移動させることが可能となる。そして、ボルト５５は、締め付けると左側へと移動して先端が外側金具４３の外側片５１を押すことで、外側金具４３の外側片５１を左側すなわち内側へと移動させて、内側金具４２の内側片４５との間隔を狭くさせる。ボルト５５は、各把持箇所４１が折板屋根１１の頂部２４に固定される前は緩められている。
【００２７】
このように支持部３０の固定箇所３２の各連結片３６に、外側金具４３と内側金具４２とが締結部４４により組み付けられて、各把持箇所４１が形成されている。２つの把持箇所４１は、それぞれが後述するように折板屋根１１の頂部２４を把持することができ、固定箇所３２を介して支持部３０を折板屋根１１に固定する固定部４０として機能する。
【００２８】
次に、枠材固定具１０を用いたバルコニー１２の折板屋根１１への取り付けについて説明する。なお、取り付けの順番に関しては、以下の説明と取り付けの構造（各部材の関係性）が等しいものであれば、適宜入れ替えてもよく、以下の例に限定されない。
【００２９】
先ず、枠材固定具１０が、図３に示すように、折板屋根１１において隣り合う２つの頂部２４の一方と他方とに固定部４０の２つの把持箇所４１が宛がわれる。このとき、各把持箇所４１は、内側金具４２の内側片４５と外側金具４３の外側片５１との間に対応する頂部２４が位置されて、緩衝部材４８を介して内側金具４２の上面片４６が頂部２４の上面に載せられる。そして、締結部４４のボルト５５を締め付けて外側金具４３の外側片５１を内側へと移動させることで、外側片５１と内側金具４２の内側片４５とが括れ２５に引っ掛かって抜け落ちることが防止された状態で頂部２４を挟んで、各把持箇所４１が頂部２４に固定される。これにより、枠材固定具１０を折板屋根１１の頂部２４に固定することができる。この各枠材固定具１０は、折板屋根１１において、床部１３の外縁を形成する枠材としての縁フレーム１７を支持する位置に適宜設けられる（図１では両端の２箇所）。
【００３０】
その後、各枠材固定具１０では、縁フレーム１７の支持溝１９に頭部２２ａが嵌め入れられたボルト２２の軸部２２ｂ（図１参照）が、支持部３０の支持溝部３３の鉛直溝３４に挿入される。そして、各枠材固定具１０は、図４、図５に示すように、軸部２２ｂが５つの水平溝３５のいずれかに挿入されることで、頂部２４に対する所定の高さ位置に軸部２２ｂを位置させることができる。このとき、各水平溝３５は、軸部２２ｂを水平方向に移動可能な寸法とされているので、所定の高さ位置において左右方向の位置の調整することが可能とされている。各枠材固定具１０では、軸部２２ｂの左右の位置が調整された後、ボルト２２に嵌められたナット２３が締め付けられることで、水平溝３５および締結部材２１が支持溝１９を介して縁フレーム１７を所望の高さ位置で支持する。実施例１では、図１で左側に位置する縁フレーム１７に設けられたボルト２２が図４に示すように第１水平溝３５１で固定され、図１で右側に位置する縁フレーム１７に設けられたボルト２２が図５に示すように第３水平溝３５３で固定されている。
【００３１】
ここで、各枠材固定具１０は、支持部３０が、板状とされた支持箇所３１を貫通する支持溝部３３の各水平溝３５でボルト２２の軸部２２ｂを支持する構成とされているので、図３を正面視した手前側からでも奥側からでも軸部２２ｂを介して縁フレーム１７を支持することができる。このため、各枠材固定具１０は、折板屋根１１の構成や取り付けるバルコニー１２の構成等に応じて、折板屋根１１へと取り付ける向きを適宜設定することができる。実施例１では、図１において、左側に位置する縁フレーム１７を支持する枠材固定具１０の固定部４０がバルコニー１２の外側に位置する向きとし、右側に位置する縁フレーム１７を支持する枠材固定具１０の固定部４０がバルコニー１２の内側（下方）に位置する向きとしている。すなわち、実施例１では、傾斜により折板屋根１１が下る方向に各枠材固定具１０の固定部４０を位置させている。
【００３２】
このように、各枠材固定具１０は、支持部３０において、５つの中から選択した水平溝３５にボルト２２の軸部２２ｂ（締結部材２１）を挿入するだけで縁フレーム１７を所望の高さ位置で支持することができるので、現場での縁フレーム１７の高さ調整を容易なものにできる。これにより、各縁フレーム１７は、各枠材固定具１０により各頂部２４との間隔すなわち高さ位置が調整されて折板屋根１１に固定されることで、同一の水平面上に位置されている。このため、各縁フレーム１７が同一の水平面上に位置されることで床部１３を水平に設けることができ、折板屋根１１の傾斜に関わらずバルコニー１２を適切に設けることができる。これにより、建物１では、簡易にかつ適切にバルコニー１２が折板屋根１１に設けられている。
【００３３】
本開示に係る枠材固定具の一実施例の枠材固定具１０は、以下の各作用効果を得ることができる。
【００３４】
枠材固定具１０は、支持部３０において、鉛直方向の位置が互いに異なる水平溝３５で、縁フレーム１７（枠材）に設けられた締結部材２１を支持する。このため、枠材固定具１０は、水平溝３５で締結部材２１の上下方向の移動を規制した状態とした上で、締結部材２１の締め付けにより縁フレーム１７を固定している。これにより、枠材固定具１０は、締結部材２１が縁フレーム１７の荷重を支え続けたり、歩行等に起因する衝撃が縁フレーム１７に生じたりしても、上下方向の荷重は水平溝３５で支えることができるので、締結部材２１の締め付けが緩むことを抑制できる。
【００３５】
また、枠材固定具１０は、固定部４０は、複数の頂部２４（実施例１では２つ）に跨って固定されている。このため、枠材固定具１０は、支持部３０で受けた荷重を複数の頂部２４に分散することができ、より適切に縁フレーム１７を支持することができる。
【００３６】
さらに、枠材固定具１０は、複数の水平溝３５が締結部材２１を水平方向に移動可能に受け入れることが可能とされている。このため、枠材固定具１０は、締結部材２１を支持する位置の自由度を向上させることができ、より適切に縁フレーム１７を支持することができる。
【００３７】
枠材固定具１０は、支持部３０において、複数の水平溝３５が鉛直溝３４で連結されている。このため、枠材固定具１０は、締結部材２１を鉛直溝３４から挿入することでいずれかの水平溝３５へと挿入することができ、各水平溝３５に導くことを容易なものとすることができ、縁フレーム１７の高さ位置の調整を容易なものにできる。
【００３８】
枠材固定具１０は、支持部３０において、複数の水平溝３５が鉛直方向の位置を変化させながら鉛直溝３４に対して左右交互に位置されている。このため、枠材固定具１０は、各水平溝３５による締結部材２１すなわち縁フレーム１７の支持強度を確保しつつ、水平溝３５の本数すなわち調節可能な高さ位置の数を増やすことができる。これにより、枠材固定具１０は、より適切に縁フレーム１７の高さ位置を調整することを可能とすることができる。
【００３９】
したがって、本開示に係る枠材固定具としての実施例１の枠材固定具１０では、高さ調節可能としつつ締結部材２１の締め付けの緩みを抑制できる。
【００４０】
以上、本開示の枠材固定具１０を実施例１に基づき説明してきたが、具体的な構成については実施例１に限られるものではなく、特許請求の範囲の各請求項に係る発明の要旨を逸脱しない限り、設計の変更や追加等は許容される。
【００４１】
例えば、実施例１では、枠材としての縁フレーム１７を枠材固定具１０により折板屋根１１に固定していたが、床部１３の外縁を形成する枠材であればよく、実施例１の構成に限定されない。
【００４２】
また、実施例１では、固定部４０が折板屋根１１において隣り合う２つの頂部２４を両把持箇所４１が挟み込むものとされていたが、頂部２４に固定するものであれば、単一の頂部２４に固定するものでもよく、３つ以上の頂部２４に跨って固定するものでもよく、実施例１の構成に限定されない。
【００４３】
さらに、実施例１では、支持部３０の支持箇所３１の支持溝部３３が、鉛直方向の位置を変化させながら鉛直溝３４に対して左右交互に各水平溝３５が位置されて構成されている。しかしながら、支持溝部３３は、鉛直方向の位置を変化させながら鉛直溝３４の一方側に各水平溝３５を位置させてもよく、例えば支持箇所３１の縁部に各水平溝３５を設けることのように鉛直溝３４がないものとしてもよく、実施例１の構成に限定されない。
【００４４】
実施例１では、各水平溝３５がボルト２２の軸部２２ｂ（締結部材２１）を水平方向に移動可能に受け入れることができるものとされていたが、互いに異なる鉛直方向の位置で締結部材２１を支持できるものであれば、水平方向に移動できないものでもよく、実施例１の構成に限定されない。
【００４５】
実施例１では、固定部４０が両把持箇所４１で頂部２４を挟むことで折板屋根１１に固定される構成とされている。しかしながら、固定部４０は、頂部２４に固定することができるものであればよく、実施例１の構成に限定されない。
【符号の説明】
【００４６】
１  建物      １０  枠材固定具      １１  折板屋根      １２  バルコニー      １３  床部      １７  （枠材の一例としての）縁フレーム      ２１  締結部材      ２４  頂部      ３０  支持部      ３４  鉛直溝      ３５  水平溝      ４０  固定部
【図１】
2019056270.tif 000003
【図２】
2019056270.tif 000004
【図３】
2019056270.tif 000005
【図４】
2019056270.tif 000006
【図５】
2019056270.tif 000007